(57)【特許請求の範囲】
【請求項１】
屋上や屋根等のデッキプレートに発泡ウレタン等の断熱材をワッシャを介してスクリュウねじで取着するデッキ固定用ワッシャ取付装置であって、
ワッシャの固定孔にスクリュウねじを挿通して締着するビット操作桿をワッシャ取付装置本体に装着してビットを昇降自在に配設し、上記ビット操作桿の側部に積層するワッシャの中心軸線が水平状または下方に向かって傾斜するようにしてワッシャマガジンを配設して、ワッシャマガジンからワッシャを送り爪で供給するようにし、
上記ビット操作桿にそって昇降するカム・リンク機構を介して送り爪を搖動するように形成しているとともにこの送り爪を積層したワッシャの側周縁に係脱可能に配設して、ワッシャを一枚ずづビット操作桿の下方のねじ挿着部に供給するようにしていることを特徴とするデッキ固定用ワッシャ取付装置。
【請求項２】
送り爪を積層するワッシャの一番下および二番目の上周縁に係合して、一番下のものを順次下方へ転倒して落下するようにしてビット操作桿の下方のねじ挿着部に供給するようにしている請求項１に記載のデッキ固定用ワッシャ取付装置。
【請求項３】
積層したワッシャを一枚ずつねじ挿着部に確実に送り爪で供給できるように積層するワッシャの側周縁間に間隙を設ける突起部をワッシャの固定孔のまわりにほぼ均一状に配設したものである請求項１または２に記載のデッキ固定用ワッシャ取付装置。
【発明の詳細な説明】
【０００１】
【発明の技術分野】
本発明は、建築分野におけるプレハブの屋上や屋根等のデッキ固定用ワッシャ取付装置に関するものである。
【０００２】
【従来の技術】
最近、プレハブの屋上や屋根に凹凸状のデッキプレートを張り付け、その上面に断熱材を被覆して、その表面に合成樹脂シートを貼り付けることが実施され、重量軽減と省力化がはかれている。
【０００３】
そして、その断熱材や合成樹脂シートを下部のデッキプレートに取着するのに、やや大きな形状のワッシャを介してセルフドリリングねじのスクリュウねじでデッキプレートに螺着している。
【０００４】
このデッキプレートにワッシャを介して螺着するのに、ワッシャを多数積層したワッシャマガジンからワッシャを一枚ずつワッシャ取付装置のスクリュウビットの下方部に供給し、ワッシャの中心の固定孔にスクリュウねじを挿入してデッキプレートに螺着している。
【０００５】
【発明が解決しようとする課題】
従来のデッキ固定用のワッシャ取付装置は、スクリュウねじを螺着するビット操作桿の下側方部に積層するワッシャの中心軸線を垂直状にワッシャマガジンを配設し、最下部のワッシャを側部から押し込み棒で順次ビット操作桿の下方のねじ挿着部に送り出しているものであった。
【０００６】
しかし、ワッシャを垂直状に積層しているので、送り出す最下部のワッシャに過大な力が負荷するとともに、ワッシャは１ｍｍ位の薄いものなので、押し込み棒で確実かつ円滑に送り出すことが難しく、ワッシャの供給ミスが多発するものであった。そのため、折角の省力化がはかれるワッシャ取付装置でありながら、その性能を十分に発揮することができず、改善することが要望されていた。
【０００７】
【課題を解決するための手段】
本発明は上記のような点に鑑みたもので、上記の課題を解決するために、屋上や屋根等のデッキプレートに発泡ウレタン等の断熱材をワッシャを介してスクリュウねじで取着するデッキ固定用ワッシャ取付装置であって、ワッシャの固定孔にスクリュウねじを挿通して締着するビット操作桿をワッシャ取付装置本体に装着してビットを昇降自在に配設し、上記ビット操作桿の側部に積層するワッシャの中心軸線が水平状または下方に向かって傾斜するようにしてワッシャマガジンを配設して、ワッシャマガジンからワッシャを送り爪で供給するようにし、上記ビット操作桿にそって昇降するカム・リンク機構を介して送り爪を搖動するように形成しているとともにこの送り爪を積層したワッシャの側周縁に係脱可能に配設して、ワッシャを一枚ずづビット操作桿の下方のねじ挿着部に供給するようにしていることを特徴とするデッキ固定用ワッシャ取付装置を提供するにある。
【０００８】
【発明の実施の形態】
本発明のデッキ固定用ワッシャ取付装置は、屋上や屋根等のデッキプレートに発泡ウレタン等の断熱材をワッシャを介してスクリュウねじで取着するデッキ固定用ワッシャ取付装置であって、ワッシャの固定孔にスクリュウねじを挿通して締着するビット操作桿をワッシャ取付装置本体に装着してビットを昇降自在に配設し、上記ビット操作桿の側部に積層するワッシャの中心軸線が水平状または下方に向かって傾斜するようにしてワッシャマガジンを配設して、ワッシャマガジンからワッシャを送り爪で供給するようにし、上記ビット操作桿にそって昇降するカム・リンク機構を介して送り爪を搖動するように形成しているとともにこの送り爪を積層したワッシャの側周縁に係脱可能に配設して、ワッシャを一枚ずづビット操作桿の下方のねじ挿着部に供給するようにしていることを特徴とするデッキ固定用ワッシャ取付装置を提供するにある。
【０００９】
デッキ固定用ワッシャ取付装置１は、図１〜図３のように屋上や屋根等のデッキプレート２の上面を移動可能にワッシャ取付装置本体３に転動ローラー４を配設するとともに、ビット操作桿５を垂直状に配設してビット６を昇降自在とし、このビット操作桿５の側部にセルフドリリングねじのスクリュウねじ７を供給するねじ供給管８を配設している。
【００１０】
そして、上記ワッシャ取付装置本体３の側部に図１〜図３のようにワッシャマガジン９を配設し、ワッシャマガジン９に積層したワッシャ１０を一枚ずつ送り爪１１でビット６を昇降する下部のねじ挿着部１２に供給するようにしている。
【００１１】
上記ワッシャマガジン９は、図１のように積層するワッシャ１０の中心軸線が水平または下方に向かって傾斜するように配設し、送り爪１１を上記積層するワッシャ１０のねじ挿着部１２側または一番下および二番目の周縁に係合して、一番下のものを順次下方へ転倒して落下するようにしてビット操作桿５の下方のねじ挿着部１２に供給するようにしている。
【００１２】
送り爪１１は、図４のようにほぼ扇状に形成していて、図２のように上記ワッシャマガジン９の先端上部の固定板１３に枢着し、その上部のカム１４をビット操作桿５にそって昇降するカム棒１５に当接して、送り爪１１をワッシャ１０の側周部にそって搖動するようにしている。
【００１３】
そして、送り爪１１の扇状の下端部分の一部に図４のように段設部１６を設け、この送り爪１１の下部をワッシャマガジン９の積層するワッシャ１０の一番下およびその二番目の上周縁１７に係合するようにし、ビット操作桿５を昇降してワッシャ１０をスクリュウねじ７を介してデッキプレート２に取着するたびに送り爪１１を搖動し、一番下のワッシャ１０を転倒して落下するようにしている。
【００１４】
ワッシャ取付装置本体４に転倒したワッシャ１０は、図１のようにビット操作桿５の下部位置の手前側の待機ステーション１８に待機状態とし、ワッシャ供給レバー１９を介してねじ挿着部１２に送給するようにしている。
【００１５】
ワッシャ供給レバー１９は、図１〜図３のようにほぼ門型状としていて、その上端部を図のようにビット操作桿５の下方のカム棒摺動ガイド２０に枢支していて、その側部に搖動用カム２１を配設し、カム棒１５に当接して所要の角度にわたって搖動するようにしている。
【００１６】
そして、図１〜図３のようにこのワッシャ供給レバー１９の下端部を、水平移動板２２の両側部を折曲して垂直材２３に設けた長孔２４に摺動可能に枢着し、水平移動板２２に垂設したワッシャ送り材２５でワッシャ１０をビット操作桿５を上昇するときに供給するようにしている。
【００１７】
なお、ワッシャ１０の供給手段としては、上記したワッシャ供給レバー１９を介することなく、すべり台等によって直接的にねじ挿着部１２に送給するようにもできる。
【００１８】
なお、ねじ装着部１２に送給されたワッシャ１０は、図５のように両側のＬ形状の係止材２６に搭載し、上記したビット６を下降して押圧したときにスプリング２７に抗して係止材２６が回転し、ワッシャ１０が下方の発泡ウレタン等の断熱材２８の上に設置されるようになっている。
【００１９】
上記したデッキ固定用のワッシャ１０は、図６のように７０〜１００ｍｍ径の円板状や角板状で、その中心に固定孔２９を開孔し、そのまわりに補強用の円状の凹設部３０、３１を周縁に断熱シート固定突縁３２を設けている。
【００２０】
そして、このようなワッシャ１０を図１のように積層してねじ挿着部１２に一枚ずつ供給するのに、ワッシャ１０の周縁３２が密接せずにワッシャ１０の周縁３２間に間隙が生じるように固定孔２９のまわりにほぼ均一状にワッシャ１０の表面側をプレス等で押圧して裏面側に突き出る突起部３３を３個以上配設している。
【００２１】
上記突起部３３は、たとえば図６のように固定孔２９のまわりに半径Ｒの１２０度角度間隙等の軸対称位置から全体をｘだけ少しずらした非軸対称状位置や、軸対称位置のピッチサークル径Ｒをそれぞれ少し変えて配置するのが、積層するワッシャ１０の表面側の凹部３４と裏面側の突起部３３が全部ぴったりと一致しない限り全部嵌合しないので、ワッシャ１０の周縁３２間に所定の間隙を確実に生じることができるので好ましい。
【００２２】
上記突起部３３の突出量としては、１．０〜３．０ｍｍ位が積層したワッシャ１０を送り爪１１で確実にビット６の下方部に送り込めて好ましい。１．０ｍｍより少ないと送り爪１１に引っ掛けにくく、３．０ｍｍより大きいとワッシャ１０を積層したときに嵩高となって好ましくない。
【００２３】
突起部３３としては、円形状や半球状のものが製造しやすくて好ましいが、角状や切欠状等とすることもでき、また固定孔２９のまわりに３個以上設け、ワッシャ１０を重ね合わせたときに３点支持にできてワッシャ１０のまわりに均一に間隙を生じるようにできて好ましいものであるが、上記した本発明の趣旨にもとづいて突起部の形状、数量を適宜選択することができる。
【００２４】
【実施例】
図１〜図６は、本発明の一実施例を示すものである。ワッシャ取付装置１は、図１〜図３のようにデッキプレート２上に安定して移行できるように搬送ローラー４で搬送可能として、ワッシャ取付装置本体３にビット操作桿５を垂直にほぼ腰の高さに配設している。
【００２５】
そして、ビット操作桿５の下端に所要のビット６を装着し、上端の工具装着部３５に電動ドライバー（図示せず）を装着してコイルスプリング３６に抗して下方に押動して、側部のねじ供給管８から一本ずつ挿入する所定長さのスクリュウねじ７をビット６でデッキプレート２に螺着するようにしている。
【００２６】
ワッシャマガジン９には、８５ｍｍ径の円板状のワッシャ１０を３０枚位積層し、上記したようにカム・リンク機構を介して送り爪１１を搖動し、ワッシャ１０を一枚ずつ転倒し、ワッシャ供給レバー１９でねじ挿着部１２に送給できるようにしている。
【００２７】
したがって、図１のようにワッシャ取付装置１をプレハブの屋上や屋根のデッキプレート２の所定位置に停止し、ねじ供給管８からスクリュウねじ７を挿入して、電動ドライバーを駆動してビット操作桿５を押し下げると、ねじ挿着部１２に送給されたワッシャ１０の固定孔２９にスクリュウねじ７を挿通して発泡ウレタン等の断熱材２８をデッキプレート２に順次取着できる。
【００２８】
ワッシャ１０に突起部３３を突設しているため、ワッシャ１０の周縁３２間に間隙が生じてワッシャマガジン９から送り爪１１で確実に一枚ずつ転倒して送給できる。
【００２９】
また、その際ワッシャマガジン９を傾斜しているため、ワッシャ１０を容易に下方へ転倒できるものである。
【００３０】
そしてまた、その下方にワッシャ供給レバー１９でワッシャ１０をねじ挿着部１２に送給する待機ステーション１８を設けているため、デッキプレート２に一枚のワッシャ１０を取着すると、カム・リンク機構でビット操作桿５の上昇時に上記のようにしてワッシャ取付装置本体３上に転倒させたワッシャ１０をねじ挿着部１２に送給でき、ワッシャ１０の取付装置の短縮化がはかれる。
【００３１】
以上では、プレハブの屋上や屋根について説明したが、斜め状や垂直状の壁面に貼着するデッキプレートにも適用でき、またプレハブ以外のデッキプレートの取り付けに対しても適用できるものである。
【００３２】
【発明の効果】
以上のように本発明にあっては、ワッシャマガジンに積層したワッシャを容易に送り爪で転倒してねじ挿着部に送給できて、デッキプレートに断熱材を取着することができる。
【００３３】
また、送り爪を上記積層するワッシャの一番下および二番目の上周縁に係合して、一番下のものを順次下方へ転倒して落下するようにしてビット操作桿の下方のねじ挿着部に供給することによって、ワッシャマガジンに積層したワッシャを確実に送り爪で転倒してねじ挿着部に送給できて、デッキプレートに断熱材を取着することができる。
【００３４】
さらに、積層したワッシャを一枚ずつワッシャ取着具のスクリュウビット部に確実に送り爪で供給できるように積層するワッシャ間に間隙を設ける突起部を固定孔のまわりにほぼ均一状に配設することによって、ワッシャマガジンに積層するワッシャの周縁間に間隙を設けられて、送り爪でより一層確実にワッシャを一枚ずつねじ挿着部へ送給するようにできる
【図面の簡単な説明】
【図１】本発明の一実施例の一部省略した側断面図、
【図２】同上の一部省略した正断面図、
【図３】同上の一部省略した背断面図、
【図４】同上の送り爪部の側面図（ａ）と正面図（ｂ）、
【図５】同上のビット装着部の説明用断面図、
【図６】同上のワッシャの平面図（ａ）と側断面図（ｂ）。
【符号の説明】
１…ワッシャ取付装置    ２…デッキプレート  ３…ワッシャ取付装置本体
５…ビット操作桿        ６…ビット          ７…スクリュウねじ
９…ワッシャマガジン    １０…ワッシャ    １１…送り爪
１２…ねじ挿着部          ２８…断熱材      ３３…突起部
【図１】
0004344788.tif 000002
【図２】
0004344788.tif 000003
【図３】
0004344788.tif 000004
【図４】
0004344788.tif 000005
【図５】
0004344788.tif 000006
【図６】
0004344788.tif 000007